(57)【要約】【目的】製造組立時における作業性が良好であり、歩留まり率が改善されたピン付き装飾体のための止め具及びその製造方法を提供する。【構成】装飾体が備えるピンを複数個の小球体の各球面間で挟持保持するピン付き装飾体のための止め具において、  ハウジング内の支柱部が、  ピン保持部の後退方向側にピン保持部と一体的に形成されると共に、内部にピン挿通方向と同方向の貫通孔を有する筒状体である外支柱部と、  外支柱部の内部の貫通孔に挿通固定され、操作レバー体の付勢方向側に操作レバー体と一体的に形成されると共に、ピン通孔から挿通されたピンの導入路となる貫通孔を有する筒状体である内支柱部と、  を有して構成されていること、  を特徴とするピン付き装飾体のための止め具。【選択図】        図１
2014018496.tif 000002
【特許請求の範囲】
【請求項１】
装飾体が備えるピンを挿通するピン通孔が設けられると共に、該ピン通孔との正対位置に開口部が設けられたハウジングと、
該ハウジング内に配設され、前記ピン通孔から挿通されたピンを複数個の小球体の各球面間で挟持保持するピン保持部と、
該ピン保持部に支柱部を介して前記開口部外に連設され、前記ピン通孔から前記ピン保持部を後退させることにより前記ピンの挟持保持の解除動作を前記ハウジング外から行う操作レバー体と、
前記ハウジング内の前記支柱部の外周に配設され、前記ピン保持部及び前記操作レバー体を、前記ピン通孔方向に付勢するコイルスプリングと、
を有して成り、
前記ピン保持部の小球体によるピンの挟持保持が、前記ピン保持部の前記ピン通孔側への付勢によって各小球体がピン方向に押され、該各小球体のピン側の球面の一部がピンに押圧状態で当接することによって行われ、
前記ピン保持部の挟持保持の解除動作が、前記ピン保持部の前記ピン通孔からの後退によって各小球体によるピンへの押圧力が解除されることによって行われる構成である、
ピン付き装飾体のための止め具において、
前記支柱部が、
前記ピン保持部の後退方向側に前記ピン保持部と一体的に形成されると共に、内部にピン挿通方向と同方向の貫通孔を有する筒状体である外支柱部と、
前記外支柱部の内部の貫通孔に挿通固定され、前記操作レバー体の付勢方向側に前記操作レバー体と一体的に形成されると共に、前記ピン通孔から挿通されたピンの導入路となる貫通孔を有する筒状体である内支柱部と、
を有して構成されていること、
を特徴とするピン付き装飾体のための止め具。
【請求項２】
前記ハウジングが、前記ピン通孔側を構成する一側ケース部と、前記開口部側を構成する他側ケース部と、を有して成ることを特徴とする請求項１に記載のピン付き装飾体のための止め具。
【請求項３】
前記外支柱部に対する内支柱部の挿通固定が圧入固定であることを特徴とする請求項１又は２に記載のピン付き装飾体のための止め具。
【請求項４】
前記外支柱部の外周面の全てが、ピンの非挿通時は前記ハウジング内に入り込んだ状態となる構成であることを特徴とする請求項１〜３のいずれかに記載のピン付き装飾体のための止め具。
【請求項５】
前記外支柱部の外周面の略全てが、ピンの挟持保持時は前記ハウジング内に入り込んだ状態となる構成であることを特徴とする請求項１〜４のいずれかに記載のピン付き装飾体のための止め具。
【請求項６】
前記ピン保持部の外周面と該外周面と相対向する前記ハウジングの内周面との間に、前記ピン通孔側の開放端が小径部であると共に前記開口部側の開放端が大径部であるテーパー面を有するガイド部を配設した構成であることを特徴とする請求項１〜５のいずれかに記載のピン付き装飾体のための止め具。
【請求項７】
前記テーパー面の角度が、挿通するピンの軸方向に対して１０〜４０度の範囲であることを特徴とする請求項６に記載のピン付き装飾体のための止め具。
【請求項８】
請求項２に記載のピン付き装飾体のための止め具の製造方法であって、
組立製造位置に、
先ず、ハウジングの一構成部材であり、装飾体が備えるピンを挿通するピン通孔が設けられた一側ケース部を、前記ピン通孔を下にして載置し、
該一側ケース部の内部に、前記ピン通孔から挿通されるピンを挟持保持するピン保持部を、該ピン保持部の内部に複数個の小球体を抱持させた状態で組み込み載置し、
該ピン保持部に連設され、前記ピン保持部の後退方向側に一体的に形成された外支柱部の外周にコイルスプリングを巻き回し状態で配設し、
ガイド部、ピン保持部及び外支柱部、コイルスプリングを組み込んだハウジングの一側ケース部に対して、ハウジングの他構成部材である他側ケース部を該他側ケース部に形成された開口部を上位置となる状態で上方から前記外支柱部及びコイルスプリングを被覆するように組み込み、
前記一側ケース部と他側ケース部とを接続固定することによりハウジングを一体化させ、
該ハウジングの他側ケース部の開口部から、該開口部内に現れる前記外支柱部の貫通孔内に内支柱部を挿通固定することにより、該内支柱部に一体的に形成されると共にピンの挟持保持の解除動作を行う操作レバー体を前記ピン保持部に外支柱部及び内支柱部を介して前記開口部外に連設させることにより、止め具を完成させる構成であること、
を特徴とするピン付き装飾体のための止め具の製造方法。
【請求項９】
一側ケース部の内部にピン保持部を組み込み載置する前に、
前記一側ケース部の内部に、ピン通孔側の開放端が小径部であると共に該小径部と反対側の開放端が大径部であるテーパー面を有するガイド部を、前記小径部を下にして組み込み載置し、
該ガイド部を組み込み載置した後に、前記ピン保持部を、該ピン保持部の内部に複数個の小球体を抱持させた状態で、前記一側ケース部の内部であり前記ガイド部のテーパー面の内周面に当接した状態で組み込み載置する構成であること、
を特徴とする請求項８に記載のピン付き装飾体のための止め具の製造方法。
【発明の詳細な説明】
【技術分野】
【０００１】
本発明はピン付き装飾体のための止め具及びその製造方法に関し、詳しくは装飾体が備えるピンに対し、その着脱を自在に保持するピン付き装飾体のための止め具及びその製造方法に関する技術である。
【背景技術】
【０００２】
装飾体が備えるピンを別途用意される止め具を介して着脱自在に保持できるように形成された装身具には、ピアスやネクタイピンやボタンなどがあり、この場合に用いられる止め具には、従来より種々の構造のものが提案されてきている。
【０００３】
この場合の止め具には、その基本構造として弾性体でピンを保持するタイプのものと、内蔵させた複数個の小球体によりピンを保持させるタイプのものとに大別することができる。
【０００４】
このうち、弾性体でピンを保持するようにしたタイプの止め具としては、ピン付き装身具がピアスであり、径寸法の異なるピンであっても柔軟に対応し得るようにシリコーン樹脂材で形成された下記特許文献１に開示されているピアスキャッチがある。
【０００５】
一方、内蔵させた小球体によりピンを挟持するようにして保持させるタイプの止め具には、以下の各特許文献に開示されているように種々の構造のものが既にある。
【０００６】
すなわち、下記特許文献２には、環状に遊支された３個の小鋼球（小球体）を遊動保持させた截頭円錐形を呈する鋼球受と、該鋼球受を小鋼球が常に圧接するように押圧付勢された状態のもとで支持するテーパー管状の鋼球ガイドとを備え、鋼球受をその押圧付勢力に抗して移動させることでピンを解放できるようにしたバッジの座金（止め具）が開示されている。
【０００７】
下記特許文献３には、截頭円錐形部位に３個の小球体を環状に緩着したチャック体と、各小球体と対面する内側面にテーパー面を有して常に押圧付勢された状態のもとでチャツク体を支持する止金具とを備え、チャック体が備える円錐面にその押圧付勢力に抗して操作部材を押し付けて各小球体とピンとの係合を解除してピンを解放できるようにしたネクタイピン（止め具）が開示されている。
【０００８】
下記特許文献４には、先端内部に円錐台状の嵌合溝を備える遊動体と、頭部に設けられた鍔部に小球体を備えて前記嵌合溝内に配置される係合子と、該係合子の終端部に固着される係止基台と、該係止基台と前記鍔部との間に介在させたコイルスプリングとを備え、前記係合子の係合孔に挿入されて小球体により挟持されているピンは、遊動体をその押圧付勢力に抗して引き上げることで解放できるようにした装身体保持具が開示されている。なお、この場合、係合孔と連通する係合孔側口の口径を小球体の直径よりも小さくして、係合孔側に突出する各小球体が、係合孔内へ脱落するのを阻止している。
【０００９】
下記特許文献５には、回転を防止できるように複数本のピンを備えるピン体と、各ピンとの対面位置にピン用孔を備えるピン噛合体とを備えて形成され、各ピン用孔に挿入されてテーパー面との位置関係のもとで小球体と係合しているピンは、押圧付勢力に抗して操作握部を引き下げることでその係合を解除してピンを解放できるようにした装身具における回転及び抜落防止装置（止め具）が開示されている。
【００１０】
下記特許文献６には、ボタン側に連結されるピンと、該ピンの先端部を係脱可能に嵌合するピン留め具とを備え、テーパー面との位置関係のもとで小球体と係合しているピンは、押圧付勢力に抗して解除レバーを押し込むことによりその係合を解除してピンを解放できるようにした留め機能を有するボタンが開示されている。
【００１１】
下記特許文献７には、剛体で形成される３個の小球体と、環状に配置されたこれらの各小球体を弾性変形が可能に保持するボールホルダとを備え、該ボールホルダの中心に位置するピン挿入口にピンを圧入させることで一体化させることができるようにしたピアスキャッチ及びこれを含むピアスが開示されている。
【００１２】
下記特許文献８には、環状に配置された３個の金属小球体からなる把持部材と、ゴム状弾性部材からなるホルダと、これら把持部材とホルダとを締め付けるリングとを備え、３個の金属小球体の中心位置に形成される貫通孔にピンを圧入させることで一体化させることができるようにした止め具及ぴその止め具を含む身飾り品が開示されている。
【００１３】
一方、下記特許文献９には、本願出願人が提案したピアスなど装身具の止め具が開示されている。該止め具は、内周面にテーパーが形成された案内筒と、該案内筒内に配置された複数の小球体と、これらの各小球体に下面が接触する鍔部を備えて押圧付勢されている押圧部材とを有してなり、ピンを挟持する各小球体は、押圧部材が備える摘みを介してその押圧付勢力に抗して引き上げることでその挟持状態を解除できるように形成されている。
【００１４】
ところで、上記特許文献２〜９に開示されている技術は、そのいずれもが押圧付勢力のもとで小球体側に生成される挟持力によりピンを挟持しようとするものであり、その解除も人的操作を利用して押圧付勢力に抗して小球体を遊動方向に移動させて挟持力を緩めて行うものであった。
【００１５】
しかし、これらの従来技術のうち、例えば装飾体がピアスの場合には、ピン径φが０．６ｍｍ〜１．２ｍｍまでという、約２倍も直径が異なるピンが存在しているにもかかわらず、その対応が不十分なため、各小球体が生成する押圧力によっては、これらの径を異にするピンの別に応じた確実な挟持力を発揮させることができないばかりでなく、その挿入操作や解放操作も必ずしも円滑に行うことができないという問題があった。
【００１６】
そこで本願出願者は、従来技術の上記課題に鑑み、ピンを円滑に挿入したり解放する上で、各小球体が接触し中心軸方向に押圧付勢力を与えるテーパー面のテーパー角度や可動操作体に押圧付勢力を与えるコイルスプリングが大きく作用しているとの知見に基づき、特許文献１０に記載の技術を更に提案した。
【先行技術文献】
【特許文献】
【００１７】
【特許文献１】特開２００６−２６１４３号公報
【特許文献２】実公昭３９−１１８７７号公報
【特許文献３】実公昭３９−３３８０５号公報
【特許文献４】実開昭５８−１０７０１０号公報
【特許文献５】特開平３−２６１４０３号公報
【特許文献６】実用新案登録第３０７０５７６号公報
【特許文献７】特開２０００−５０９１８号公報
【特許文献８】特開２００５−２０４７５２号公報
【特許文献９】特許第４１６７７０３号公報
【特許文献１０】特許第４５６０５８８号公報
【発明の概要】
【発明が解決しようとする課題】
【００１８】
特許文献１０の技術について、本願出願者は更に研究を続けた結果、ピンの着脱を自在に且つ確実に保持する点では充分な効果が得られたが、製造組立時における作業性や歩留まり率の点で改善の余地があることを見出した。
【００１９】
本発明の課題は、装飾体が備えるピンの着脱を自在に且つ確実に保持するすることができ、しかも製造組立時における作業性が良好であり、歩留まり率が改善されたピン付き装飾体のための止め具及びその製造方法を提供することにある。
【課題を解決するための手段】
【００２０】
上記課題を解決する本発明は下記構成を有する。
【００２１】
１．装飾体が備えるピンを挿通するピン通孔が設けられると共に、該ピン通孔との正対位置に開口部が設けられたハウジングと、
該ハウジング内に配設され、前記ピン通孔から挿通されたピンを複数個の小球体の各球面間で挟持保持するピン保持部と、
該ピン保持部に支柱部を介して前記開口部外に連設され、前記ピン通孔から前記ピン保持部を後退させることにより前記ピンの挟持保持の解除動作を前記ハウジング外から行う操作レバー体と、
前記ハウジング内の前記支柱部の外周に配設され、前記ピン保持部及び前記操作レバー体を、前記ピン通孔方向に付勢するコイルスプリングと、
を有して成り、
前記ピン保持部の小球体によるピンの挟持保持が、前記ピン保持部の前記ピン通孔側への付勢によって各小球体がピン方向に押され、該各小球体のピン側の球面の一部がピンに押圧状態で当接することによって行われ、
前記ピン保持部の挟持保持の解除動作が、前記ピン保持部の前記ピン通孔からの後退によって各小球体によるピンへの押圧力が解除されることによって行われる構成である、
ピン付き装飾体のための止め具において、
前記支柱部が、
前記ピン保持部の後退方向側に前記ピン保持部と一体的に形成されると共に、内部にピン挿通方向と同方向の貫通孔を有する筒状体である外支柱部と、
前記外支柱部の内部の貫通孔に挿通固定され、前記操作レバー体の付勢方向側に前記操作レバー体と一体的に形成されると共に、前記ピン通孔から挿通されたピンの導入路となる貫通孔を有する筒状体である内支柱部と、
を有して構成されていること、
を特徴とするピン付き装飾体のための止め具。
【００２２】
２．前記ハウジングが、前記ピン通孔側を構成する一側ケース部と、前記開口部側を構成する他側ケース部と、を有して成ることを特徴とする上記１に記載のピン付き装飾体のための止め具。
【００２３】
３．前記外支柱部に対する内支柱部の挿通固定が圧入固定であることを特徴とする上記１又は２に記載のピン付き装飾体のための止め具。
【００２４】
４．前記外支柱部の外周面の全てが、ピンの非挿通時は前記ハウジング内に入り込んだ状態となる構成であることを特徴とする上記１〜３のいずれかに記載のピン付き装飾体のための止め具。
【００２５】
５．前記外支柱部の外周面の略全てが、ピンの挟持保持時は前記ハウジング内に入り込んだ状態となる構成であることを特徴とする上記１〜４のいずれかに記載のピン付き装飾体のための止め具。
【００２６】
６．前記ピン保持部の外周面と該外周面と相対向する前記ハウジングの内周面との間に、前記ピン通孔側の開放端が小径部であると共に前記開口部側の開放端が大径部であるテーパー面を有するガイド部を配設した構成であることを特徴とする上記１〜５のいずれかに記載のピン付き装飾体のための止め具。
【００２７】
７．前記テーパー面の角度が、挿通するピンの軸方向に対して１０〜４０度の範囲であることを特徴とする上記６に記載のピン付き装飾体のための止め具。
【００２８】
８．上記２に記載のピン付き装飾体のための止め具の製造方法であって、
組立製造位置に、
先ず、ハウジングの一構成部材であり、装飾体が備えるピンを挿通するピン通孔が設けられた一側ケース部を、前記ピン通孔を下にして載置し、
該一側ケース部の内部に、前記ピン通孔から挿通されるピンを挟持保持するピン保持部を、該ピン保持部の内部に複数個の小球体を抱持させた状態で組み込み載置し、
該ピン保持部に連設され、前記ピン保持部の後退方向側に一体的に形成された外支柱部の外周にコイルスプリングを巻き回し状態で配設し、
ガイド部、ピン保持部及び外支柱部、コイルスプリングを組み込んだハウジングの一側ケース部に対して、ハウジングの他構成部材である他側ケース部を該他側ケース部に形成された開口部を上位置となる状態で上方から前記外支柱部及びコイルスプリングを被覆するように組み込み、
前記一側ケース部と他側ケース部とを接続固定することによりハウジングを一体化させ、
該ハウジングの他側ケース部の開口部から、該開口部内に現れる前記外支柱部の貫通孔内に内支柱部を挿通固定することにより、該内支柱部に一体的に形成されると共にピンの挟持保持の解除動作を行う操作レバー体を前記ピン保持部に外支柱部及び内支柱部を介して前記開口部外に連設させることにより、止め具を完成させる構成であること、
を特徴とするピン付き装飾体のための止め具の製造方法。
【００２９】
９．一側ケース部の内部にピン保持部を組み込み載置する前に、
前記一側ケース部の内部に、ピン通孔側の開放端が小径部であると共に該小径部と反対側の開放端が大径部であるテーパー面を有するガイド部を、前記小径部を下にして組み込み載置し、
該ガイド部を組み込み載置した後に、前記ピン保持部を、該ピン保持部の内部に複数個の小球体を抱持させた状態で、前記一側ケース部の内部であり前記ガイド部のテーパー面の内周面に当接した状態で組み込み載置する構成であること、
を特徴とする上記８に記載のピン付き装飾体のための止め具の製造方法。
【発明の効果】
【００３０】
請求項１又は８によれば、装飾体が備えるピンの着脱を自在に且つ確実に保持するすることができ、しかも製造組立時における作業性が良好であり、歩留まり率が改善されたピン付き装飾体のための止め具及びその製造方法を提供することができる。
【００３１】
特に、外支柱部と内支柱部とから構成される支柱部の組立構成が、外周にコイルスプリングが配設された外支柱部の貫通孔に対して、操作レバー体と一体構成の内支柱部を挿通取付する構成により、かかる挿通取付はハウジングの他側ケース部の開口部から覗く外支柱部の貫通孔内にハウジング外から挿通固定するだけでよく、組立ミスが生じるおそれが極めて低く、作業性が極めて良好である。
【００３２】
従って、特許文献１０の先提案技術が抱えていた問題点、即ち、外周に間隔を有してコイルスプリングを配設した内支柱部に対して、操作レバー体と一体構成の外支柱部を、前記内支柱部の外周とコイルスプリングの内周との間隙に差し込むようにハウジング外から挿通取付する構成によって、その挿通取付作業が慎重を要するものであり作業性が良好とは云えないものであった点が改善された。特に、各構成部品が小さいために、コイルスプリングと内支柱部との間への差し込みには慣れが必要であり、コイルスプリングの後端を押圧してしまった場合には反力で弾かれて外支柱部及び操作レバー体を飛ばして紛失してしまう場合があり、また、外支柱部の先端がコイルスプリングの上端の巻き部分を挟み込んでしまう場合もあり、製品不良が発生して歩留まり率を低下させるおそれがあったが、これらの問題点を改善することができる。
【００３３】
請求項２に示す発明によれば、製造組立時に、一側ケース部にハウジング内に組み込まれる部品である小球体・ピン保持部及び外支柱部・コイルスプリングを組み込んだ後、他側ケース部を被せる構成により、ハウジング内への各部品の組込みが容易である。
【００３４】
請求項３に示す発明によれば、支柱部を構成する外支柱部と内支柱部とを極めて容易に一体化することができ、しかも接着剤等の固着手段を用いた場合のように各部品の動作構成が接着剤の漏出等による固着等が生じることがなく、製品不良の発生を抑制することができる。
【００３５】
請求項４又は５に示す発明によれば、外支柱部が外部に露出することがなくなるので、メッキ仕上げ製品とする場合、操作レバー体（及び一体構成の内支柱部）とハウジングとをメッキ加工すればよく、メッキ加工を必要とする部品数を低減するのでコストダウンを図ることができる。
【００３６】
請求項６又は９に示す発明によれば、ピンの挟持保持動作及び解除動作の円滑性及び確実性を向上させることができる。
【００３７】
請求項７に示す発明によれば、ピンの挟持保持動作及び解除動作の円滑性及び確実性をより向上させることができる。
【図面の簡単な説明】
【００３８】
【図１】本発明の一実施例につき、ピンを挿入する前の初期状態の内部構造を示す説明図
【図２】図１に示す実施例の製造組立工程の一例を示す概略説明図
【発明を実施するための形態】
【００３９】
次に、添付の図面に従って本発明を実施例に基づき説明する。
【００４０】
本発明に係るピン付き装飾体のための止め具（以下、単に止め具ということもある。）は、装飾体が備えるピンに対し、その着脱を自在に保持するものであり、
図１に示すように、止め具１の具体的な構成としては、
装飾体（図示は省略）が備えるピンＰを挿通するピン通孔２０が設けられると共に、該ピン通孔２０との正対位置に開口部２１が設けられたハウジング２と、
該ハウジング２内に配設され、前記ピン通孔２０から挿通されたピンＰを複数個（本実施例では３個）の小球体３１・３１・３１の各球面間で挟持保持するピン保持部３と、
該ピン保持部３に支柱部４を介して前記開口部２１外に連設され、前記ピン通孔２０から前記ピン保持部３を後退させることにより前記ピンＰの挟持保持の解除動作を前記ハウジング２外から行う操作レバー体５と、
前記ハウジング２内の前記支柱部４の外周に配設され、前記ピン保持部３及び前記操作レバー体５を、前記ピン通孔２０方向に付勢するコイルスプリング６と、
を有して成り、
前記ピン保持部３の小球体３１・３１・３１によるピンＰの挟持保持が、前記ピン保持部３の前記ピン通孔２０側への付勢によって各小球体３１・３１・３１がピンＰ方向に押され、該各小球体３１・３１・３１のピンＰ側の球面の一部がピンＰに押圧状態で当接することによって行われ、
前記ピン保持部３の挟持保持の解除動作が、前記ピン保持部３の前記ピン通孔２０からの後退によって各小球体３１・３１・３１によるピンＰへの押圧力が解除されることによって行われる構成を基本的構成とする。
【００４１】
また、本発明の止め具１では、前記支柱部４が、前記ピン保持部３の後退方向側に前記ピン保持部３と一体的に形成されると共に、内部にピン挿通方向と同方向の貫通孔４２を有する筒状体である外支柱部４１と、前記外支柱部４１の内部の貫通孔４２に挿通固定され、前記操作レバー体５の付勢方向側に前記操作レバー体５と一体的に形成されると共に、前記ピン通孔２０から挿通されたピンＰの導入路となる貫通孔４４を有する筒状体である内支柱部４３と、を有して構成されている。
【００４２】
また、前記ハウジング２は、好ましくは本実施例に示すように、前記ピン通孔２０側を構成する一側ケース部２２と、前記開口部２１側を構成する他側ケース部２３と、を有する２分割構成であり、組立時に一側ケース部２１と他側ケース部２３の各々の開口端部同士を組み合わせてかしめ止着して接合することにより一体化させる。尚、ハウジング２を構成する一側ケース部２１と他側ケース部２３の構成は、図示の実施例に限定されず、組合せ接合位置が異なっていてもよいし、一体化手段もかしめ止着に限定されない。尚また、ハウジング２は図示の２部材構成に限らず、１部材で構成されていてもよく、１部材の場合、ピン通孔２０又は開口部２１のいずれかを大きく開口し、この大きく開口したピン通孔２０又は開口部２１からハウジング２内に組み込まれる他の構成部材（小球体３１、ピン保持部３、支柱部４、コイルスプリング６等）を組み込んだ後に大きく開口したピン通孔２０又は開口部２１を所望の大きさまで絞り成形する構成とすることもできる。
【００４３】
ピン保持部３の小球体３１・３１・３１の各々は、ピン保持部３に穿かれた透孔である小球体保持孔３０内に収容される。小球体保持孔３０は、ピンＰの挿通方向に直交する方向であって且つピンＰ軸に対して等角の３方向に形成された３つの透孔から成る。
【００４４】
支柱部４を構成する外支柱部４１に対する内支柱部４３の挿通固定は、接着、圧入、螺合等の公知公用の手段を挙げることができるが、中でも圧入固定であることが好ましい。かかる構成によれば、外支柱部４１と内支柱部４３とを極めて簡単に一体化することができるだけでなく、接着剤等の固着手段を用いた場合のように各部品の動作構成が接着剤の漏出等による固着等が生じることがなく、製品不良の発生を抑制することができる。
【００４５】
更に本発明の止め具１では、好ましくは本実施例に示すように、前記ピン保持部３の外周面と該外周面と相対向する前記ハウジング２の一側ケース部２２の内周面との間に、前記ピン通孔２０側の開放端が小径部であると共に前記開口部側の開放端が大径部であるテーパー面７１を有するガイド部７を配設した構成を有している。
【００４６】
前記テーパー面の角度は、挿通するピンＰの軸方向に対して、１０〜４０度の範囲が好ましく、２５〜３５度の範囲がより好ましい。ガイド部７を配設し、テーパー面７１の角度を規定することにより、ピン保持部３及び小球体３１によるピンＰの挟持保持がより確実となると共に、挟持保持の解除もより確実且つ円滑に可能となる。
【００４７】
尚、複数個の小球体３１によるピンＰの挟持保持及び該挟持保持の解除の詳細については、先提案技術である特許文献１０と同様の構成を採ることができる。
【００４８】
以上の構成を有する本発明の止め具１は、外支柱部４２の外周面の全てが、ピンＰの非挿通時は前記ハウジング２内に入り込んだ状態となる構成や、前記外支柱部４２の外周面の略全てが、ピンＰの挟持保持時は前記ハウジング２内に入り込んだ状態となる構成とすることが好ましい。かかる構成によれば、メッキ仕上げの止め具１とする場合に、外部への露出が無い乃至は僅かである外支柱部４２のメッキ加工を不要とすることができるのでメッキ加工を必要とする部品点数を減じることができる。
【００４９】
以上、本発明の止め具１の具体的構成例について実施例に基づき説明した。
次に、上記構成の止め具１の製造組立時の工程の一例について図２に基いて説明する。
【００５０】
（１）先ず、組立製造位置に、ハウジング２の一構成部材であり、装飾体が備えるピンＰを挿通するピン通孔２０が設けられた一側ケース部２２を、前記ピン通孔２０を下にして載置する（図２の（ａ）参照）。
【００５１】
（２）一側ケース部２２の内部に、ピン通孔２０側の開放端が小径部であると共に該小径部と反対側の開放端が大径部であるテーパー面７１を有するガイド部７を、前記小径部を下にして組み込み載置する（図２の（ａ）から（ｂ）参照）。
【００５２】
（３）ガイド部７を組み込み載置した後に、前記ピン保持部３を、該ピン保持部３の小球体保持孔３０内に複数個（本実施例では３個）の小球体３１を抱持させた状態で、前記一側ケース部２２の内部であり前記ガイド部７のテーパー面７１の内周面に当接した状態で組み込み載置する（図２の（ｂ）参照）。
【００５３】
（４）一側ケース部２２の内部に、前記ピン通孔２０から挿通されるピンＰを挟持保持するピン保持部３を、該ピン保持部３の内部に小球体３１を抱持させた状態で組み込み載置する（図２の（ｂ）から（ｃ）参照）。
【００５４】
（５）ピン保持部３に連設され、前記ピン保持部３の後退方向側に一体的に形成された外支柱部４１の外周にコイルスプリング６を巻き回し状態で配設する（図２の（ｃ）から（ｄ）参照）。
【００５５】
（６）ガイド部７、ピン保持部３及び外支柱部４１、コイルスプリング６を組み込んだハウジング２の一側ケース部２２に対して、ハウジング２の他構成部材である他側ケース部２３を該他側ケース部２３に形成された開口部２１を上位置となる状態で上方から前記外支柱部４１及びコイルスプリング６を被覆するように組み込む（図２の（ｄ）から（ｅ）参照）。
【００５６】
（７）一側ケース部２３と他側ケース部２３とを接続固定（カシメ止着）することによりハウジング２を一体化させる（図２の（ｅ）参照）。
【００５７】
（８）ハウジング２の他側ケース部２３の開口部２１から、該開口部２１内に現れる前記外支柱部４１の貫通孔４２内に内支柱部４３を挿通固定する（図２の（ｅ）から（ｆ）参照）。
【００５８】
（９）外支柱部４１への内支柱部４３の挿通固定により、該内支柱部４３に一体的に形成されると共にピンＰの挟持保持の解除動作を行う操作レバー体５を前記ピン保持部３に外支柱部４１及び内支柱部４３を介して前記開口部２１外に連設させることにより、止め具１が完成する（図２の（ｆ）参照）。
【００５９】
上記構成を有し、上記製造組立工程を有する止め具１は、メッキ仕上げとする場合は組立済みの完成品をメッキ液に浸漬させてメッキ処理を施してもよいが、メッキ液の滲入による内部機構への影響や外部に露出しない構成部品までメッキ加工されてしまうというメッキ液の無駄な消費等の点から、メッキ加工が必要な部品のみ、即ち、外部に露出する部品であるハウジング２の一側ケース部２２及び他側ケース部２３、操作レバー体５及び該操作レバー体５と一体構成の内支柱部４３（貫通孔４４の内壁部分が外部から見える部分となる）の４構成部である３つの部品についてのみ、各々単品でのメッキ加工を施すことが好ましい。
【００６０】
尚、先提案技術である特許文献１０は、操作レバー体が外支柱部と一体構成であり、この外支柱部を内支柱部の外側に挿通固定する構成であるため、外支柱部内の貫通孔内に内支柱部の端部及び内部の貫通孔内壁部が露出してしまう構成となることから、内支柱部のメッキ加工も必要であり、メッキ加工を施す必要のある部品がハウジングの一側ケース部、外側ケース部、操作レバー体及び外支柱部、内支柱部の４つであった。従って、メッキ加工を施す必要のある部品点数は、先提案技術の４つから本発明では３つに減るため、メッキ処理の手間を２５％減少させることができる。
【００６１】
また、組立済みの完成品へのメッキ処理ではなく、製造組立前の部品単位でのメッキ処理により、メッキ液の無駄な消費が無くなるだけでなく、組立済みの完成品内部へのメッキ液滲入による製品不良等の発生が無くなるので、歩留まり率を改善することができる。
【符号の説明】
【００６２】
１  止め具
２  ハウジング
２０  ピン通孔
２１  開口部
２２  一側ケース部
２３  他側ケース部
３  ピン保持部
３０  小球体保持孔
３１  小球体
４  支柱部
４１  外支柱部
４２  貫通孔
４３  内支柱部
４４  貫通孔
５  操作レバー体
６  コイルスプリング
７  ガイド部
７１  テーパー面
Ｐ  ピン
【図１】
2014018496.tif 000003
【図２】
2014018496.tif 000004